(57)【特許請求の範囲】
【請求項１】
各種情報を表示面に表示する表示部と、所定の面に操作スイッチが設けられた操作部とが、筐体本体に組み込まれている携帯形無線装置において、
前記表示部は、前記表示面が前記筐体本体の外方へ向けられて前記筐体本体に取り付けられており、
前記操作部は、前記所定の面とは反対側の面が前記表示面に対向させられ、前記表示部の表示面のうちの所定領域が露出する第１の位置から前記表示面の全面が外部へ露出する第２の位置まで前記表示面に沿ってスライド自在に前記筐体本体に取り付けられており、
前記操作部のスライド位置を検知する操作部位置検知部と、
前記操作部位置検知部が検出した前記操作部のスライド位置に基づいて情報表示領域を決定して情報を表示する制御部と
を具備することを特徴とする携帯形無線装置。
【請求項２】
前記操作部の裏面側には、前記操作部が前記第１の位置にあるときに前記筐体本体側に設けられた接触子に接触する第１の接続用パターンと、前記操作部が前記第２の位置にあるときに前記筐体本体側に設けられた接触子に接触する第２の接続用パターンとが設けられており、
前記操作部位置検出部により、前記接触子と前記第１の接続用パターンとが接続されたか、または、前記接触子と前記第２の接続用パターンとが接続されたかを検出することにより、前記操作部のスライド位置を検知することを特徴とする請求項１に記載の携帯形無線装置。
【請求項３】
前記操作部の裏面側には凸部が設けられ、
前記筐体本体側には、前記操作部が前記第１の位置にあるときにおける前記凸部に対応する位置に第１のスイッチが設けられ、前記操作部が前記第２の位置にあるときにおける前記凸部に対応する位置に第２のスイッチが設けられており、
前記操作部位置検出部により、前記第１のスイッチと前記凸部とが接続されたか、または、前記第２のスイッチと前記凸部とが接続されたかを検出することにより、前記操作部のスライド位置を検知することを特徴とする請求項１に記載の携帯形無線装置。
【請求項４】
前記操作部の裏面側には突起が設けられ、
前記筐体本体側には、前記操作部が前記第１の位置にあるときにおける前記突起に入射光が遮断される位置に第１のフォトセンサが設けられ、前記操作部が前記第２の位置にあるときにおける前記突起に入射光が遮断される位置に第２のフォトセンサが設けられており、
前記操作部位置検出部により、前記第１のフォトセンサの入射光が前記突起に遮断されたか、または、前記第２のフォトセンサの入射光が前記突起に遮断されたかを検出することにより、前記操作部のスライド位置を検知することを特徴とする請求項１に記載の携帯形無線装置。
【請求項５】
各種情報を表示面に表示する表示部と、所定の面に操作スイッチが設けられた操作部とが、筐体本体に組み込まれている携帯形無線装置において、
前記表示部は、前記表示面が前記筐体本体の外方へ向けられて前記筐体本体に取り付けられており、
前記操作部は、前記表示部の表示面のうちの外方に露出する面積を第１の面積から前記第１の面積より広い第２の面積又は前記第２の面積から前記第１の面積に変化させることができ、前記筐体本体に取り付けられており、
前記操作部が前記第１の面積又は前記第２の面積とする位置であるかを検知する操作部位置検知部と、
前記操作部位置検知部が検出した前記操作部の位置に基づいて情報表示領域を決定して情報を表示する制御部と
を具備し、
前記操作部の裏面側には、前記操作部が前記第１の面積とする位置にあるときに前記筐体本体側に設けられた接触子に接触する第１の接続用パターンと、前記操作部が前記第２の面積とする位置にあるときに前記筐体本体側に設けられた接触子に接触する第２の接続用パターンとが設けられており、
前記操作部位置検出部により、前記接触子と前記第１の接続用パターンとが接続されたか、または、前記接触子と前記第２の接続用パターンとが接続されたかを検出することにより、前記操作部のスライド位置を検知することを特徴とする携帯形無線装置。
【請求項６】
各種情報を表示面に表示する表示部と、所定の面に操作スイッチが設けられた操作部とが、筐体本体に組み込まれている携帯形無線装置において、
前記表示部は、前記表示面が前記筐体本体の外方へ向けられて前記筐体本体に取り付けられており、
前記操作部は、前記表示部の表示面のうちの外方に露出する面積を第１の面積から前記第１の面積より広い第２の面積又は前記第２の面積から前記第１の面積に変化させることができ、前記筐体本体に取り付けられており、
前記操作部が前記第１の面積又は前記第２の面積とする位置であるかを検知する操作部位置検知部と、
前記操作部位置検知部が検出した前記操作部の位置に基づいて情報表示領域を決定して情報を表示する制御部と
を具備し、
前記操作部の裏面側には凸部が設けられ、
前記筐体本体側には、前記操作部が前記第１の面積とする位置にあるときにおける前記凸部に対応する位置に第１のスイッチが設けられ、前記操作部が前記第２の面積とする位置にあるときにおける前記凸部に対応する位置に第２のスイッチが設けられており、
前記操作部位置検出部により、前記第１のスイッチと前記凸部とが接続されたか、または、前記第２のスイッチと前記凸部とが接続されたかを検出することにより、前記操作部のスライド位置を検知することを特徴とする携帯形無線装置。
【請求項７】
各種情報を表示面に表示する表示部と、所定の面に操作スイッチが設けられた操作部とが、筐体本体に組み込まれている携帯形無線装置において、
前記表示部は、前記表示面が前記筐体本体の外方へ向けられて前記筐体本体に取り付けられており、
前記操作部は、前記表示部の表示面のうちの外方に露出する面積を第１の面積から前記第１の面積より広い第２の面積又は前記第２の面積から前記第１の面積に変化させることができ、前記筐体本体に取り付けられており、
前記操作部が前記第１の面積又は前記第２の面積とする位置であるかを検知する操作部位置検知部と、
前記操作部位置検知部が検出した前記操作部の位置に基づいて情報表示領域を決定して情報を表示する制御部と
を具備し、
前記操作部の裏面側には突起が設けられ、
前記筐体本体側には、前記操作部が前記第１の面積とする位置にあるときにおける前記突起に入射光が遮断される位置に第１のフォトセンサが設けられ、前記操作部が前記第２の面積とする位置にあるときにおける前記突起に入射光が遮断される位置に第２のフォトセンサが設けられており、
前記操作部位置検出部により、前記第１のフォトセンサの入射光が前記突起に遮断されたか、または、前記第２のフォトセンサの入射光が前記突起に遮断されたかを検出することにより、前記操作部のスライド位置を検知することを特徴とする携帯形無線装置。
【発明の詳細な説明】
【０００１】
【産業上の利用分野】
本発明は表示部と操作部とを備えた携帯形無線装置に関する。
【０００２】
【従来の技術】
図１５に従来の携帯電話を示す。この携帯電話１００は、アンテナ１１０、スピーカより構成された受話部１２０、マイクより構成された送話部１３０、ＬＣＤ（液晶表示器）より構成された表示部１４０、テンキー１５１や機能キー１５２より構成された操作部１５０を具備しており、表示部１４０の表示面１４１には電話機の各種のモードやダイヤル番号等の簡単な情報が表示される。
【０００３】
この携帯電話においては相手方との間で音声による情報伝達を行う構成となっているが、この携帯電話にＦＡＸ通信や電子メールの端末、或いは電子手帳としての機能を設け、これらの情報を表示部１４０の表示面１４１に表示できるようにすれば利用者にとっては非常に便利である。
【０００４】
ところが上記携帯電話１００では、表示部１４０の表示面１４１は簡単な情報を表示し得る程度の小さな面積であるので、この携帯電話１００に各種の端末の機能をもたせた場合には、例えば、電子メールのような文章を受信しようとすると、図１６に示すように、電子メールのヘッダ部分しか表示することができず、従って、利用者が電子メールのすべての情報を見るためにはスクロール等を繰り返さなければならないので、非常に操作性が悪くなり、使い易い端末にすることはできない。
【０００５】
一方、図１７に示す携帯電話１００Ａのように、各種端末として使用することを想定して表示部１４０Ａの表示面１４１を大きな面積にした場合には、表示部１４０Ａが大形化した分だけ装置全体が大形化し携帯性に劣るという問題が生じる。また、大きな表示面１４１を持ちながらも、表示すべき情報量が少ない時（例えば、通話時）は、図１８に示すように、表示面１４１の表示が中途半端な状態となり、表示面１４１の外観上のバランスを損うという問題が生じる。この場合に、表示面全体のバランスを考慮し、図１９に示すように不必要な画面パターンを表示面１４１に表示したのでは、不必要な電力を消費することになるので、電池を使用し、従って、低消費電力とするべきこの種の携帯電話では不利になる。
【０００６】
このように、大きな表示部１４０Ａを有する携帯電話１００Ａは、使い勝手や扱える情報量が格段と向上するにもかかわらず、通常の使用状況では音声によるものがほとんどであるので必要な表示面は小面積で足りるという点及び装置全体が大形化するので携帯性に劣るという点からその普及が妨げられていた。
【０００７】
【発明が解決しようとする課題】
上記したように従来の携帯形無線装置では、携帯性を重視して表示部を小さくすると、表示できる情報量が限定されるので、電話機以外の端末として使用する場合にその操作性が低下するという問題があり、一方、表示部を大きくして表示できる情報量を多くしようとすると、装置全体が大形化するので携帯性が低下し、また、表示部に表示する必要のある情報量が少い時は表示面の表示が中途半端になり外観上のバランスを損うという問題があった。
【０００８】
本発明はこのような従来の欠点を解決するべくなされたものであり、表示情報の少い音声通話時や待機時においては携帯性に優れ、しかも、必要に応じて多くの情報を表示できる携帯形無線装置を提供することを目的とする。
【０００９】
【課題を解決するための手段】
請求項１に係る発明は、各種情報を表示面に表示する表示部と、所定の面に操作スイッチが設けられた操作部とが、筐体本体に組み込まれている携帯形無線装置において、前記表示部は、前記表示面が前記筐体本体の外方へ向けられて前記筐体本体に取り付けられており、前記操作部は、前記所定の面とは反対側の面が前記表示面に対向させられ、前記表示部の表示面のうちの所定領域が露出する第１の位置から前記表示面の全面が外部へ露出する第２の位置まで前記表示面に沿ってスライド自在に前記筐体本体に取り付けられており、前記操作部のスライド位置を検知する操作部位置検知部と、前記操作部位置検知部が検出した前記操作部のスライド位置に基づいて情報表示領域を決定して情報を表示する制御部とを具備することを特徴とする。
【００１０】
請求項２に係る発明は、請求項１において、前記操作部の裏面側には、前記操作部が前記第１の位置にあるときに前記筐体本体側に設けられた接触子に接触する第１の接続用パターンと、前記操作部が前記第２の位置にあるときに前記筐体本体側に設けられた接触子に接触する第２の接続用パターンとが設けられており、前記操作部位置検出部により、前記接触子と前記第１の接続用パターンとが接続されたか、または、前記接触子と前記第２の接続用パターンとが接続されたかを検出することにより、前記操作部のスライド位置を検知することを特徴とする。
また、請求項５に係る発明は、各種情報を表示面に表示する表示部と、所定の面に操作スイッチが設けられた操作部とが、筐体本体に組み込まれている携帯形無線装置において、前記表示部は、前記表示面が前記筐体本体の外方へ向けられて前記筐体本体に取り付けられており、前記操作部は、前記表示部の表示面のうちの外方に露出する面積を第１の面積から前記第１の面積より広い第２の面積又は前記第２の面積から前記第１の面積に変化させることができ、前記筐体本体に取り付けられており、前記操作部が前記第１の面積又は前記第２の面積とする位置であるかを検知する操作部位置検知部と、前記操作部位置検知部が検出した前記操作部の位置に基づいて情報表示領域を決定して情報を表示する制御部とを具備し、前記操作部の裏面側には、前記操作部が前記第１の面積とする位置にあるときに前記筐体本体側に設けられた接触子に接触する第１の接続用パターンと、前記操作部が前記第２の面積とする位置にあるときに前記筐体本体側に設けられた接触子に接触する第２の接続用パターンとが設けられており、前記操作部位置検出部により、前記接触子と前記第１の接続用パターンとが接続されたか、または、前記接触子と前記第２の接続用パターンとが接続されたかを検出することにより、前記操作部のスライド位置を検知することを特徴とする。
【００１１】
請求項３に係る発明では、請求項１において、前記操作部の裏面側には凸部が設けられ、前記筐体本体側には、前記操作部が前記第１の位置にあるときにおける前記凸部に対応する位置に第１のスイッチが設けられ、前記操作部が前記第２の位置にあるときにおける前記凸部に対応する位置に第２のスイッチが設けられており、
前記操作部位置検出部により、前記第１のスイッチと前記凸部とが接続されたか、または、前記第２のスイッチと前記凸部とが接続されたかを検出することにより、前記操作部のスライド位置を検知することを特徴とする。
また、請求項６に係る発明では、各種情報を表示面に表示する表示部と、所定の面に操作スイッチが設けられた操作部とが、筐体本体に組み込まれている携帯形無線装置において、前記表示部は、前記表示面が前記筐体本体の外方へ向けられて前記筐体本体に取り付けられており、前記操作部は、前記表示部の表示面のうちの外方に露出する面積を第１の面積から前記第１の面積より広い第２の面積又は前記第２の面積から前記第１の面積に変化させることができ、前記筐体本体に取り付けられており、前記操作部が前記第１の面積又は前記第２の面積とする位置であるかを検知する操作部位置検知部と、前記操作部位置検知部が検出した前記操作部の位置に基づいて情報表示領域を決定して情報を表示する制御部とを具備し、前記操作部の裏面側には凸部が設けられ、前記筐体本体側には、前記操作部が前記第１の面積とする位置にあるときにおける前記凸部に対応する位置に第１のスイッチが設けられ、前記操作部が前記第２の面積とする位置にあるときにおける前記凸部に対応する位置に第２のスイッチが設けられており、前記操作部位置検出部により、前記第１のスイッチと前記凸部とが接続されたか、または、前記第２のスイッチと前記凸部とが接続されたかを検出することにより、前記操作部のスライド位置を検知することを特徴とする。
【００１２】
また、請求項４に係る発明では、請求項１において、前記操作部の裏面側には突起が設けられ、前記筐体本体側には、前記操作部が前記第１の位置にあるときにおける前記突起に入射光が遮断される位置に第１のフォトセンサが設けられ、前記操作部が前記第２の位置にあるときにおける前記突起に入射光が遮断される位置に第２のフォトセンサが設けられており、前記操作部位置検出部により、前記第１のフォトセンサの入射光が前記突起に遮断されたか、または、前記第２のフォトセンサの入射光が前記突起に遮断されたかを検出することにより、前記操作部のスライド位置を検知することを特徴とする。
また、請求項７に係る発明では、各種情報を表示面に表示する表示部と、所定の面に操作スイッチが設けられた操作部とが、筐体本体に組み込まれている携帯形無線装置において、前記表示部は、前記表示面が前記筐体本体の外方へ向けられて前記筐体本体に取り付けられており、前記操作部は、前記表示部の表示面のうちの外方に露出する面積を第１の面積から前記第１の面積より広い第２の面積又は前記第２の面積から前記第１の面積に変化させることができ、前記筐体本体に取り付けられており、前記操作部が前記第１の面積又は前記第２の面積とする位置であるかを検知する操作部位置検知部と、前記操作部位置検知部が検出した前記操作部の位置に基づいて情報表示領域を決定して情報を表示する制御部とを具備し、前記操作部の裏面側には突起が設けられ、前記筐体本体側には、前記操作部が前記第１の面積とする位置にあるときにおける前記突起に入射光が遮断される位置に第１のフォトセンサが設けられ、前記操作部が前記第２の面積とする位置にあるときにおける前記突起に入射光が遮断される位置に第２のフォトセンサが設けられており、前記操作部位置検出部により、前記第１のフォトセンサの入射光が前記突起に遮断されたか、または、前記第２のフォトセンサの入射光が前記突起に遮断されたかを検出することにより、前記操作部のスライド位置を検知することを特徴とする。
【００１４】
【作用】
本発明では、表示部に対する操作部の位置を検知する操作部位置検知部を有しているので、この検知部の信号により表示面のうちの露出する領域に情報を表示することが可能になる。
【００１５】
【実施例】
以下、本発明の実施例を図１乃至図１１を参照して詳述する。
【００１６】
ここに、図１は操作部が第１の位置にある状態の携帯形無線装置の正面図、図２は操作部が第２の位置にある状態の携帯形無線装置の正面図、図３は図１の状態の携帯形無線装置の表示部の拡大正面図、図４は図２の状態の携帯形無線装置の表示部の拡大正面図、図５は携帯形無線装置の制御ブロック図、図６は図１のＡ−Ａ線断面図、図７は図１のＢ−Ｂ線断面図、図８は図６の円部Ｄ拡大図、図９は操作部と本体回路部との電気的接続を示す図、図１０は操作部の位置検出信号の出力回路図、図１１は操作スイッチのマトリクス回路図である。
【００１７】
本例の携帯形無線装置２００は、図１に示すように、筐体本体２１０にアンテナ２２０、受話部２３０、送話部２４０、表示部２５０、操作部２６０が組み込まれて構成されており、電話機として使用する場合や待機時のように表示部２５０に表示する必要のある情報量が少ない場合は、表示部２５０の表示面２５１の面積は図１５に示す従来の携帯電話１００と同程度の大きさとすることができ、従って、携帯形無線装置２００全体の形状、大きさも携帯電話１００と同程度のものにすることができる。一方、この携帯形無線装置２００をＦＡＸ通信や電子メールの端末、或いは電子手帳として使用するような場合には、図２に示すように、操作部２６０をスライドすることにより表示面２５１の面積を大きくすることができ、従って、表示部２５０に多量の情報を表示することができる。以下、各部の構成につき説明する。
【００１８】
図６及び図７に示すように、筐体本体２１０は下カバー２１１と上カバー２１２とで構成され、下カバー２１１側に形成された電池収納部２１１ａは電池カバー２１３で覆われている。この筐体本体２１０内には、主回路基板２７０とサブ回路基板２８０が収納され、主回路基板２７０には主として装置の各種の機能を構成する回路部２７１が形成され、サブ回路基板２８０には主回路基板２７０を補助する回路部が形成されると共に、表示部２５０を構成するＬＣＤ（液晶表示器）、受話部２３０を構成するスピーカ２３１、操作部２６０との接続部（後述する）などが設けられている。
【００１９】
表示部２５０であるところのＬＣＤは大きな面積の薄形形状を有しており、サブ回路基板２８０の表面２８１側の大部分の面積を占める状態でサブ回路基板２８０に設けられている。そして、この表示部２５０の表示面２５１は筐体本体２１０の外方に向けられており、上カバー２１２に形成された開口部２１２ａから表示面２５１の全表示領域は筐体本体２１０の外部に露出した状態となっている。
【００２０】
操作部２６０は上カバー２１２の開口部２１２ａと同程度の幅を有する薄形板状に形成されており、装置の外面となる所定の面２６０ａにはテンキー２６１や機能キー２６２などの操作スイッチが設けられている。また、操作部２６０の内部には、図１１に示すように、マトリクス形の回路パターン２６３が設けられており、テンキー２６１や機能キー２６２を押圧するといずれかのラインＬｉ（ｉ＝１〜４）とラインＣｉ（ｉ＝１〜４）が短絡する。このように操作スイッチの回路パターンをマトリクス形としたのはサブ回路基板２８０との接続部分を減少させるためであり、本例のように操作スイッチが１６個である場合には接続部分は８個あれば良い。また、操作部２６０の下端側には送話部２４０を構成するマイク２４１が埋め込まれている。尚、マイク２４１については、サブ回路基板２８０に直接取り付け、操作部２６０或いは筐体本体２１０の表面側に通音用の孔部を設けても良い。
【００２１】
上記操作部２６０は、図６及び図８に示すように、その両縁部に段部２６４が形成されており、この段部２６４が上カバー２１２の開口部２１２ａ周縁に形成された溝２１２ｄに挿入されることによって操作部２６０は筐体本体２１０に取り付けられている。従って、特に図８に示す如く、操作部２６０は所定の面２６０ａとは反対側の面である裏面２６０ｅが表示部２５０の表示面２５１と対向する状態となり、表示面２５１のうちの一部の領域は操作部２６０で覆われて携帯形無線装置２００の外部に露出することはない。また、操作部２６０を筐体本体２１０に対してスライドさせることによって外部に露出する表示面２５１の領域を変化させることができる。
【００２２】
この場合に本例では、表示面２５１を覆う領域が多くなる方向である上方へ操作部２６０をスライドさせると、操作部２６０は図１に示す位置（第１の位置）でその段部２６４の上端が溝部２１２ｄの端面（図示せず）に当接してそのスライドを阻止される。また、表示面２５１を覆う領域が少くなる方向である下方へ操作部２６０をスライドさせると、操作部２６０は、図２に示す位置（第２の位置）で、裏面２６０ｅ側に設けられた突起２６５が下カバー２１１の上縁部に当接しそのスライドを阻止される。従って、音声通話時のように表示部２５０に表示する情報量が少いモードのときは、操作者は操作部２６０を上方へスライドするだけで、従来の携帯電話１００の表示部１４０の面積と同程度の面積とされた表示面２５１の所定領域を露出させることができ、電子メールの受信のように表示部２５０に表示する情報量が多いモードのときは操作者は操作部２６０を下方へスライドするだけで、表示面２５１の全領域を露出させることができる。また、図８に示すように、操作部２６０が第１の位置及び第２の位置にあるときには、操作部２６０側が凸部２６７が上カバー２１２側の凹部２１２ｅに嵌合する構成となっており、第１又は第２の位置にある操作部２６０が振動等によりずれることはない。
【００２３】
尚、本例では、表示する情報量の少い場合と多い場合との２つの場合を考慮して、操作部２６０を第１の位置と第２の位置間でスライドし得る構成としてあるが、本発明はこれに限定されるものではなく、例えば、装置の不使用時などには表示部２５０を操作部２６０で保護できるように、表示部２５０の表示面２５１の全領域を覆い得る位置まで操作部２６０をスライドできるようにしても良い。
【００２４】
上記操作部２６０とサブ回路基板２８０との電気的接続は、操作部２６０の裏面２６０ｅ側に設けられた接続用パターン２６８とこの接続用パターン２６８に接触させられる弾性を有する接触子２８３により行われる。
【００２５】
操作部２６０の接続用パターン２６８は、図９に示すように、操作部２６０が第１の位置にあるときに接触子２８３に接続されるパターン群（図９の（１）の列にあるパターン群）と操作部２６０が第２の位置にあるときに接触子２８３に接続されるパターン群（図９の（２）列にあるパターン群）とで構成されている。そして、（１）列にあるパターン群は、操作部位置検出用のパターンＡ１，Ａ３（Ａ１とＡ３は短絡されている）、前記のマトリクス形回路パターンのラインＬｉ，Ｃｉに対応するパターンＬｉ，Ｃｉ、マイク２４１接続用のパターンＭ１，Ｍ２を有しており、（２）列にあるパターン群は、操作部位置検出用のパターンＡ２，Ａ３，（Ａ２とＡ３は短絡されている）、ラインＬｉ，Ｃｉに対応するパターンＬｉ，Ｃｉ、マイク２４１用のパターンＭ１，Ｍ２を有している。一方、サブ回路基板２８０の接触子２８３としては、操作部２６０が第１の位置にあるときにパターン群（１）のすべての接続用パターン２６８と接触し、操作部２６０が第２の位置にあるときにパターン群（２）のすべての接続用パターン２６８に接触するように、操作部位置検出用の接触子ＰＡ１〜ＰＡ３、ラインＬｉ，Ｃｉ用の接触子ＰＬｉ，ＰＣｉ、マイク２４１用の接触子ＰＭ１，ＰＭ２が用意されている。
【００２６】
従って、操作部２６０が第１の位置にあるときは、パターン群（１）にある接続用パターン２６８が、夫々、接触子２８３に接続されることにより、操作部２６０の各スイッチ２６１，２６２やマイク２４１がサブ回路基板２８０に電気的に接続され、操作部２６０が第２の位置にあるときは、パターン群（２）にある接続用パターン２６８が、夫々、接触子２８３に接続されることにより、操作部２６０の各スイッチ２６１，２６２やマイク２４１がサブ回路基板２８０に電気的に接続される。また、図１０（ａ）に示すように、接触子２８３のうちの接触子ＰＡ１とＰＡ２にはＶｃｃの電圧がかかっており、ＰＡ３はＧＮＤに接続されている。従って、図１０（ｂ）に示すように、操作部２６０が第１の位置にあるときには、出力端Ｘ，Ｙのうちの出力端ＸはＧＮＤ電位となり出力端ＹはＶｃｃの電位となる。また、操作部２６０が第２の位置にあるときは出力端ＸはＶｃｃの電位となり出力端ＹはＧＮＤ電位となる。このようにして、操作部２６０の第１の位置、第２の位置を検出できる。また、いずれの位置にもない場合は、出力端Ｘ，Ｙは共にＶｃｃの電位となる。尚、マイク２４１をサブ回路基板２８０に直付けにする場合は、マイク用パターンＭ１，Ｍ２及びマイク用接触子ＰＭ１，ＰＭ２は不用である。
【００２７】
次に、上記操作部２６０の位置に応じて表示部２５０の表示領域や表示態様を切り替えるための制御方法を図５を用いて説明する。図５は、本発明の携帯形無線装置２００の制御ブロック図の一部を示すもので、２９１は中央制御部（ＣＰＵ）、２９２は制御プログラムが格納されているＲＯＭ、２９３はデータ作業エリア等で使用するＲＡＭ、２９４は表示部２５０の制御を行う表示制御部、２９５は表示するべきデータを格納するＶＲＡＭ、２９６は操作部２６０のキー入力を制御するキー入力制御部、２９７は操作部２６０以外のスイッチや表示ランプの入出力制御を行う入出力制御部、２９８は操作部２６０の位置信号を出力する操作部位置検知部、２９９はデータバスである。
【００２８】
中央制御部２９１が、入出力制御部２９７に対し現在の操作部２６０の位置を問い合わせると、入出力制御部２９７は操作部位置検知部２６０の出力端Ｘ，ＹのうちのいずれがＶｃｃとなっているかを読み取って操作部２６０が第１の位置にあるか第２の位置にあるかを判断する。そして、中央制御部２９１は入出力制御部２９７の情報によって、例えば表示部２５０の表示領域を図１に示す所定領域とするか或いは図２に示す全領域とするかを判断し、この中央制御部２９１の判断に基いて表示制御部２９４は表示部２５０に適切な領域に情報を表示させる。
【００２９】
本例の携帯形無線装置２００は、上記のような構成となっているので、図１に示すように操作部２６０を第１の位置に位置付けることによって、表示部２５０の表示面２５１のうちの所定領域のみを外部に露出させることができ、かつ、所定領域にのみ情報を表示させることができる。また、図２に示すように操作部２６０を第２の位置に位置付けることによって、表示面２５１の全領域を外部に露出させることができ、かつ、全領域に情報を表示させることができる。
【００３０】
従って、表示情報の少い音声通話時や待機時においては、操作部２６０を第１の位置に位置付ける構成とすることにより、携帯形無線装置２００を携帯や通話に便利なように小形化することができ、しかも、図３に示すように、表示部２５０の表示面２５１は所定領域のみが表示領域となるので、情報を効率的に表示することができ、不必要な電力を表示部２５０で消費することもない。一方、電子メール（文字データ）受信やファクシミリ受信のように表示情報量の多い態様で装置を使用する場合には、操作部２６０を第２の位置に位置付ける構成とすることにより、図４に示すように表示部２５０の表示面２５１の全領域を表示領域とすることができる。従って、多量の文字情報や画情報を一度に表示面２５１に表示することが可能となり、煩雑なスクロールを繰り返す必要もなくなるので、情報の判読を容易かつ確実に行える。
【００３１】
図１２乃至図１４は本発明の他の実施例を示す図であり、図１２は携帯形無線装置２００Ａの要部断面図、図１３は図１２のＥ−Ｅ線断面図、図１４は図１２のＦ−Ｆ線断面図である。
【００３２】
本例では、操作部２６０の位置を検知する操作部位置検知部２９８を構成する手段として、サブ回路基板２８０側に所定距離を開けて、２つのスイッチ２８６，２８７が設けられ、操作部２６０にはスイッチ２８６（又は２８７）を押圧するための凸部２６９が設けられている。そして、操作部２６０が第１の位置にあるときは凸部２６９にスイッチ２８６が押圧されて第１の位置についての位置信号が出力され、操作部２６０が第２の位置にあるときには凸部２６９にスイッチ２８７が押圧されて第２の位置についての位置信号が出力される。また、操作部２６０とサブ回路基板２８０との電気的接続は、柔軟性を有するフラットケーブル２８９で接続された構成となっている。その他の構成は図１乃至図１１に示された実施例と同様である。尚、操作部位置検知部２９８を構成する手段としては、スイッチ２８６，２８７に換えてフォトセンサ（図示せず）を設け、凸部２６９に換えてフォトセンサの光を遮断する突起（図示せず）を設けることによって非接点形の検知部とすることもできる。
【００３５】
【発明の効果】
本発明に係る携帯形無線装置では、表示部に対する操作部の位置を検知する操作部位置検知部を有しているので、この検知部の信号により表示面のうちの露出する領域に情報を表示させることが可能となり、従って、情報を表示面に効率良く表示させることができる。
【図面の簡単な説明】
【図１】本発明の実施例に係る携帯形無線装置を示す図であり、操作部が第１の位置にある状態での正面図。
【図２】図１の携帯形無線装置の操作部が第２の位置にある状態での正面図。
【図３】図１の状態の携帯形無線装置の表示部の拡大正面図。
【図４】図２の状態の携帯形無線装置の表示部の拡大正面図。
【図５】図１の携帯形無線装置の制御ブロック図。
【図６】図１のＡ−Ａ線断面図。
【図７】図１のＢ−Ｂ線断面図。
【図８】図６の円部Ｄ拡大図。
【図９】図１の携帯形無線装置における操作部と本体回路部との電気的接続を示す図。
【図１０】図１の携帯形無線装置における操作部位置検出信号の出力回路図。
【図１１】図１の携帯形無線装置における操作スイッチのマトリクス回路図。
【図１２】本発明の他の実施例における携帯形無線装置の断面図。
【図１３】図１２のＥ−Ｅ線断面図。
【図１４】図１２のＦ−Ｆ線断面図。
【図１５】従来の携帯電話の正面図。
【図１６】図１５の携帯電話の表示部の拡大正面図。
【図１７】別の従来の携帯電話の正面図。
【図１８】図１７の携帯電話の表示部の拡大正面図。
【図１９】図１７の携帯電話の表示部の拡大正面図。
【符号の説明】
２００，２００Ａ  携帯形無線装置      ２１０  筐体本体
２５０  表示部                        ２５１  表示面
２６０  操作部                        ２６０ａ  所定の面
２６１  テンキー                      ２６２  機能キー
２９８  操作部位置検知部
【図１】
0003688317.tif 000002
【図２】
0003688317.tif 000003
【図３】
0003688317.tif 000004
【図４】
0003688317.tif 000005
【図５】
0003688317.tif 000006
【図６】
0003688317.tif 000007
【図７】
0003688317.tif 000008
【図８】
0003688317.tif 000009
【図９】
0003688317.tif 000010
【図１０】
0003688317.tif 000011
【図１１】
0003688317.tif 000012
【図１２】
0003688317.tif 000013
【図１３】
0003688317.tif 000014
【図１４】
0003688317.tif 000015
【図１５】
0003688317.tif 000016
【図１６】
0003688317.tif 000017
【図１７】
0003688317.tif 000018
【図１８】
0003688317.tif 000019
【図１９】
0003688317.tif 000020